(57)【要約】【課題】前扉を筐体からネジ等を使用することなく、容易に着脱することができる遊技機を提供する。【解決手段】上扉３０に取り付けられた蝶番１０１の蝶番支持部１０２の軸部を、筐体に固定された蝶番受け１５０の前係合部１５３に係合したうえで、蝶番支持部１０２を軸部１１０回りに回転させて、付勢部材１１６の付勢力によって蝶番支持部１０２の係合爪１１１を後係合部１５４に係合させることによって、上扉３０を筐体に取り付け、後係合部１５４から係合爪１１１を付勢部材１１６の付勢力に抗して外すとともに、蝶番支持部１０２を取付けの場合と逆方向に軸部１１０回りに回転させつつ、軸部１１０を前係合部１５３から外すことによって、上扉３０を筐体からネジ等を使用することなく、容易に着脱することができる。【選択図】図８
2016193162.tif 000002
【特許請求の範囲】
【請求項１】
筐体と、この筐体の前面開口を開閉する前扉と、この前扉の一方の側縁部を前記筐体に回動可能に連結するヒンジ構造とを備えた遊技機であって、
前記ヒンジ構造は、前記前扉の一方の側縁部に取り付けられる蝶番と、前記筐体に固定されて、前記蝶番が取り付けられる蝶番受けとを備え、
前記蝶番受けの前部に前係合部が設けられ、前記蝶番受けの後部に後係合部が設けられ、
前記蝶番に、前記前係合部に係脱可能に係合する軸部と、前記後係合部に係脱可能に係合する係合爪と、この係合爪を前記後係合部に係合させる方向に付勢可能な付勢部材とが設けられ、
前記蝶番は、前記軸部を前記前係合部に係合したうえで、前記蝶番を前記軸部回りに回転させて、前記付勢部材の付勢力によって前記係合爪を前記後係合爪に係合させることによって、前記蝶番受けに取り付けられていること特徴とする遊技機。
【請求項２】
前記係合爪に、当該係合爪を前記付勢部材の付勢力に抗して前記後係合部から外す方向に動かすための解除レバーが設けられていることを特徴とする請求項１に記載の遊技機。
【請求項３】
前記蝶番に、前記係合爪が前記後係合部から外れる方向へ動くような前記解除レバーの動作を許否するロックスイッチが設けられていることを特徴とする請求項２に記載の遊技機。
【発明の詳細な説明】
【技術分野】
【０００１】
本発明は、筐体と、この筐体の前面開口を開閉する前扉と、この前扉の一方の側縁部を前記筐体に回動可能に連結するヒンジ構造とを備えた遊技機に関する。
【背景技術】
【０００２】
遊技機の一つであるスロットマシンとして、遊技を行うための主要部であるリールユニット、このリールユニットの動作を制御する主基板等を有し、筐体に対して交換可能に設けられた交換ユニットや、筐体に対して固定的に設けられた電源ユニットおよびメダルを貯留するとともにメダルを払い出す払い出し装置としてのホッパーユニット等を備えているものが知られている。
筐体は前面が開口しており、この前面開口は前扉によって開閉可能となっている。この前扉は一般的に、ヒンジを介して筐体に取り付けられ、これにより、前面開口を閉鎖する閉鎖位置と、前面開口を開口する開放位置との二つの位置間を回動可能となっている。
【０００３】
このように前扉はヒンジを介して筐体に取り付けられているが、組立性やメンテナンス性を考慮すると、前扉を筐体から着脱可能な構造とするのが好ましい。
前扉を筐体から着脱可能とした遊技機の一例として特許文献１および２に記載のものが知られている。
【０００４】
特許文献１に記載の遊技機では、前扉は、その枠状フレームに接合された補強部材にネジ止めされた扉側部を、筐体側の対応する筐側部に嵌め込むことで、筐体に回動可能に連結されている。また、所定の操作を行うことで、扉側部と筐側部とが容易に分離可能になっている。
【０００５】
特許文献２記載の遊技機では、前扉と筐体とが二軸ヒンジにより連結されており、この二軸ヒンジは、前扉側に接合される前扉側部と、筐体側に接合される筐体側部とに分離可能に形成されたものとなっている。
また、筐体側部には、前扉側の前扉側部を係止するラッチ機構と、前扉側の前扉側部の係止を解除するための解除レバーとが設けられている。
解除レバーは、筐体の内側面に沿って倒れている倒伏位置、および先端側が筐体の内側面に向かって押されることで、全体的に起きた状態となる起立位置の二つの位置間を揺動可能に設けられたものとなっている。
そしてラッチ機構は、解除レバーが倒伏位置に配置された状態では、前扉側部の係止を維持し、解除レバーが押されて起立位置に到達した状態では、前扉側部の係止を解除するようになっている。
【先行技術文献】
【特許文献】
【０００６】
【特許文献１】特開２０１４−１８４１３１号公報
【特許文献２】特開２０１４−１４６００号公報
【発明の概要】
【発明が解決しようとする課題】
【０００７】
ところで、特許文献１には、「前扉の扉側部を、筐体側の対応する筐側部に嵌め込むことで、筐体に回動可能に連結し、また、所定の操作を行うことで、扉側部と筐側部とが容易に分離可能になっている。」旨は記載されているが、具体的なヒンジ構造については記載されていない。
同様に、特許文献２には、「二軸ヒンジが、前扉側に接合される前扉側部と、筐体側に接合される筐体側部とに分離可能に形成されている」旨や、「解除レバーが倒伏位置に配置された状態では、前扉側部の係止を維持し、解除レバーが押されて起立位置に到達した状態では、前扉側部の係止を解除する」旨は記載されているが、具体的な解除レバーの構造やその周辺の構造を含むヒンジ構造については記載されていない。
【０００８】
本発明は、前記事情に鑑みてなされたもので、前扉がヒンジ構造を介して筐体に取り付けられている遊技機において、前扉を筐体に対してネジ等を使用することなく、容易に着脱することができる遊技機を提供すること目的とする。
【課題を解決するための手段】
【０００９】
前記目的を達成するために、本発明の遊技機は、筐体と、この筐体の前面開口を開閉する前扉と、この前扉の一方の側縁部を前記筐体に回動可能に連結するヒンジ構造とを備えた遊技機であって、
前記ヒンジ構造は、前記前扉の一方の側縁部に取り付けられる蝶番と、前記筐体に固定されて、前記蝶番が取り付けられる蝶番受けとを備え、
前記蝶番受けの前部に前係合部が設けられ、前記蝶番受けの後部に後係合部が設けられ、
前記蝶番に、前記前係合部に係脱可能に係合する軸部と、前記後係合部に係脱可能に係合する係合爪と、この係合爪を前記後係合部に係合させる方向に付勢可能な付勢部材とが設けられ、
前記蝶番は、前記軸部を前記前係合部に係合したうえで、前記蝶番を前記軸部回りに回転させて、前記付勢部材の付勢力によって前記係合爪を前記後係合爪に係合させることによって、前記蝶番受けに取り付けられていること特徴とする。
【００１０】
ここで、蝶番受けの後部とは、前面が開口した筐体の奥側よりの部位を意味し、蝶番受けの前部とは筐体の前側よりの部位を意味する。
【００１１】
本発明においては、前扉を筐体に取り付ける場合、当該前扉の一方の側部に取り付けられた蝶番の軸部を、筐体に固定された蝶番受けの前係合部に係合したうえで、蝶番を軸部回りに回転させて、付勢部材の付勢力によって蝶番の係合爪を蝶番受けの後係合部に係合させることによって、前扉を筐体にネジ等を使用することなく、容易に取り付けることができる。
また、前扉を筐体から取り外す場合、蝶番受けの後係合部から蝶番の係合爪を付勢部材の付勢力に抗して外すとともに、蝶番をその取付けの場合と逆方向に軸部回りに回転させつつ、蝶番の軸部を蝶番受けの前係合部から外すことによって、前扉を筐体からネジ等を使用することなく、容易に取り外すことができる。
このように、前扉を筐体に対してネジ等を使用することなく、容易に着脱することができる。
【００１２】
また、本発明の前記構成において、前記係合爪に、当該係合爪を前記付勢部材の付勢力に抗して前記後係合部から外す方向に動かすための解除レバーが設けられていることが好ましい。
【００１３】
このような構成によれば、前扉を筐体から取り外す場合に、解除レバーを作業者が把持して動かすことによって、係合爪を付勢部材の付勢力に抗して後係合部から容易に外すことができるので、前扉を筐体からさらに容易に取り外すことができる。
【００１４】
また、本発明の前記構成において、前記蝶番に、前記係合爪が前記後係合部から外れる方向へ動くような前記解除レバーの動作を許否するロックスイッチが設けられているのが好ましい。
【００１５】
このような構成によれば、前扉が筐体に取り付けられている場合に、ロックスイッチによって、解除レバーの動作を阻止することによって、不意に解除レバーに作業者の手や物が触れた場合でも、係合爪が後係合部から外れて、前扉が筐体から外れて落下することがない。
【発明の効果】
【００１６】
本発明によれば、蝶番の軸部を蝶番受けの前係合部に係合したうえで、蝶番を軸部回りに回転させて、付勢部材に付勢力によって蝶番の係合爪を蝶番受けの後係合部に係合させることによって、前扉を容易に取り付けることができ、また、蝶番受けの後係合部から蝶番の係合爪を付勢部材の付勢力に抗して外すとともに、蝶番の取付けの場合と逆方向に軸部回りに回転させつつ、蝶番の軸部を蝶番受けの前係合部から外すことによって、前扉を筐体から容易に取り外すことができるので、前扉を筐体に対してネジ等を使用することなく、容易に着脱することができる。
【図面の簡単な説明】
【００１７】
【図１】本発明の実施の形態に係る遊技機の一例を示すもので、その斜視図である。
【図２】同、前扉を開いた状態の斜視図である。
【図３】同、上扉を筐体から取り外した状態を示す要部の斜視図である。
【図４】同、ヒンジ構造を示す斜視図である。
【図５】同、蝶番受けを示す斜視図である。
【図６】同、蝶番支持部を示す斜視図である。
【図７】同、蝶番支持部を別の方向から見た斜視図である。
【図８】同、蝶番受けに蝶番支持部を取り付ける方法を説明するためのもので、（ａ）は蝶番受けの前係合部に、蝶番支持部の軸部を係合した状態を示す斜視図、（ｂ）は蝶番支持部を回転させている状態を示す斜視図、（ｃ）は蝶番受けに蝶番支持部を取り付けた状態を示す斜視図である。
【図９】同、蝶番受けに蝶番支持部を取り付ける方法を説明するためのもので、係合爪が蝶番受けの傾斜面に当接している状態を示す斜視図、（ｂ）は係合爪が傾斜面を越した状態を示す斜視図、（ｃ）は係合爪が後係合部に係合した状態を示す斜視図である。
【図１０】同、上扉と交換ユニットの要部を示す斜視図である。
【図１１】同、上扉を開いた状態の要部を示す斜視図である。
【図１２】同、施錠ユニットを示す左側面図である。
【図１３】同、施錠ユニットを示す右側面図である。
【図１４】同、前係合部材を開いた状態を示す左側面図である。
【図１５】同、後係合部材を開いた状態を示す左側面図である。
【図１６】同、筐体を示す斜視図である。
【図１７】同、前扉のストッパによって操作部材の上方への移動が規制されている状態を示す要部の斜視図である。
【図１８】同、上扉に設けられた係合部を示す要部の斜視図である。
【発明を実施するための形態】
【００１８】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
【００１９】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００２０】
また、前記筐体１の左右の側板には、筐体１の高さ方向略中央で水平となるように中板（図示略）が設けられており、この中板によって筐体１内は上下に分割されている。したがって、筐体１の前記正面開口部は、その上部を開口する開口上部とその下部を開口する開口下部との２つに区画されている。
筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
【００２１】
前記筐体１内には前記中板の上面に、交換ユニット２が着脱可能に設けられている。交換ユニット２は、種々の部品を設置あるいは固定するための支持体としての枠体２１と、この枠体に固定されたリールユニット（図示略）および基板ユニット２４とから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２２】
上扉３０には表示窓３１が設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の表示窓３１の上部および左右両側部には、報知などを行うためのランプ３３ａ,３３ｂ,３３ｃが設けられている。
【００２３】
また、上扉３０は筐体１内に設けられた交換ユニット２にヒンジ構造１００を介して回動可能に連結されることで、筐体１の開口上部を開閉するようになっている。また、下扉４０は筐体にヒンジ構造１００を介して回動可能に連結されることで、筐体１の開口下部を開閉するようになっている。
【００２４】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパ装置等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジ機構１００を介して回動自在に取り付けてもよい。
【００２５】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００２６】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための比較的大型の操作盤５７や、比較的大型の液晶パネル５８が設けられている。操作盤５７は操作部５０の幅方向（左右方向）の略中央部に配置され、メダル投入口４２およびリジェクトボタン５５を挟んで、右側に液晶パネル５８が配置されている。なお、操作盤５７には、演出等の選択用の十字キー、決定ボタン、キャンセルボタン等を有している。
【００２７】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には透明の前パネル４５が取り付けられている。
【００２８】
次に、前記ヒンジ構造１００について説明する。
まず、ヒンジ構造１００は、上扉３０の一方の側縁部と交換ユニット２の側部とを上下２カ所で連結するとともに、下扉４０の一方の側縁部と筐体１の側板とを上下２カ所で連結している。
なお、本実施の形態では、上扉３０を交換ユニット２にヒンジ構造１００によって連結しているが、上扉３０を筐体１の側板にヒンジ構造１００によって連結してもよい。
【００２９】
図３に示すように、ヒンジ構造１００は、先端部が上扉３０の一方の側縁部に取り付けられる蝶番１０１と、筐体１内に設けられた交換ユニット２の一方の内側面に固定されて、蝶番１０１の蝶番支持部１０２が取り付けられる蝶番受け１５０とを備えている。
蝶番１０１は、図４に示すように、蝶番支持部１０２と、この蝶番支持部１０２に後端部に基端部が回動可能に連結されたキャッチアーム１０３と、このキャッチアーム１０３の先端部に基端部が回動可能に連結されたスライドアーム１０４と、前記蝶番支持部１０２の先端部に基端部が回動可能に連結されたガイドアーム１０６と、このガイドアーム１０６の先端部に基端部が回動可能に連結された支持アーム１０７と、この支持アーム１０７の先端部に回動可能に連結されるとともに、前記スライドアーム１０４の先端部に回動可能に連結された支持ソケット１０８とを備えている。また、スライドアーム１０４の先端部および支持アーム１０７の先端部は、支持ソケット１０８に異なる位置で回動可能に連結されている。
【００３０】
支持ソケット１０８はその上下部にフランジ部１０８ａ，１０８ａを有しており、このフランジ部１０８ａ，１０８ａが上扉３０の一方の側縁部の裏面にネジ止めされることで、上扉３０を支持している。
このような構造の蝶番１０１は、キャッチアーム１０３がその基端部（軸１０３ａ）を軸として前側に回動するとともに、ガイドアーム１０６がその基端部（軸１０６ａ）を軸として前側に回動することによって、スライドアーム１０４および支持アーム１０７が前方に延び、これによって、上扉３０をその側縁部が筐体１の側縁部（側板の前縁部）から所定距離だけ離間するようにして、軸１０３ａおよび軸１０６ａを軸として、大きく開かせるようになっている。
【００３１】
また、蝶番受け１５０は、図５に示すように、略コ字形に形成された本体部１５１と、この本体部１５１の上下端部にそれぞれ設けられたフランジ部１５２を備えている。そして、図３に示すように、このフランジ部１５２，１５２を交換ユニット２の内側面に当接してねじ止めすることによって、蝶番受け１５０が交換ユニット２に固定されている。
【００３２】
また、図５に示すように、蝶番受け１５０の本体部１５１の上板１５１ａおよび下板１５１ａの前部（図５において左部）には、それぞれ前係合部１５３が設けられている。前係合部１５３，１５３は上板１５１ａおよび下板１５１ａの前端部の所定の部位を溝状に切り欠いて形成されたものであり、この溝の底面は半円弧面状に形成されている。なお上下の前係合部１５３，１５３は上下方向に同軸に形成されている。
一方、本体部１５１の上板１５１ａおよび下板１５１ａの後部（図５において右部）にはそれぞれ後係合部１５４が設けられている。後係合部１５４，１５４は上板１５１ａおよび下板１５１ａの後端部の所定の部位を矩形の溝状に切り欠いて形成されたものであり、この溝の対向する内壁面のうち、図５において手前側の内壁面の底面からの長さは、奥側の内壁面の同長さより短くなっている。なお、上下の後係合部１５４，１５４は上下方向に同軸に形成されている。
【００３３】
また、上板１５１ａおよび下板１５１ａの後部には、それぞれ後係合部１５４に隣接して傾斜面１５１ｃが形成されている。この傾斜面１５１ｃは上板１５１ａおよび下板１５１ａの後方（図５において右方）に向かうにしたがって、後係合部１５４側に傾斜しており、蝶番支持部１０２を蝶番受け１５０に取り付ける際に、この傾斜面１５１ｃに後述する係合爪１１１が移動しつつ当たって、当該係合爪１１１を開かせるようになっている。
また、本体部１５１の上板１５１ａの上面および下板１５１ａの下面には、それぞれ円板状の凸部１５５と矩形板状の凸部１５６が設けられている。
【００３４】
また、図６に示すように、蝶番支持部１０２は、略コ字形に形成されており、その上板１０２ａと下板１０２ａとの間でかつ前部（図６において左部）に、蝶番受け１５０の前係合部１５３に係脱可能に係合する円柱状の軸部１１０が設けられており、その上下端部が上板１０２ａおよび下板１０２ａに支持されている。この軸部１１０の直径は前係合部１５３の幅とほぼ等しいか若干小さくなっており、また、軸部１１０の曲率半径は前係合部１５３の半円弧面状の底面の曲率半径とほぼ等しいか若干小さくなっている。
したがって、前係合部１５３，１５３に軸部１１０の上下端部が係合した状態において、当該軸部１１０はその軸回りに正逆方向に回転可能となる。つまり、蝶番支持部１０２が軸部１１０回りに正逆方向に回転可能となる。
また、上板１０２ａおよび下板１０２ａの縁部には、それぞれ凸部１５５に横方向から係合する矩形状の係合凹部１０２ｄが設けられている。
【００３５】
また、図６および図７に示すように、蝶番支持部１０２の後部に、蝶番受け１５０の後係合部１５４に着脱可能に係合する係合爪１１１が上板１０２ａの下面とおよび下板１０２ａの上面にそれぞれ設けられている。上下の係合爪１１１，１１１は連結板１１２によって連結されており、この連結板１１２に解除レバー１１３が設けられている。この解除レバー１１３は蝶番支持部１０２の後方に向けて延出している。
また、係合爪１１１，１１１には軸部１１５が挿通されており、この軸部１１５回りに係合爪１１１，１１１が同期して正逆方向に回転するようになっている。この軸部１１５の上下端部はそれぞれ上板１０２ａと下板１０２ａに支持固定されている。
【００３６】
また、図７に示すように、蝶番支持部１０２には、係合爪１１１，１１１を後係合部１５４，１５４に係合させる方向に付勢可能な付勢部材１１６が設けられている。この付勢部材１１６はねじりコイルバネ１１６であり、このねじりコイルバネ１１６が軸部１１５の外周側に軸部１１５と同軸に設けられている。
ねじりコイルバネ１１６の一端部１１６ａは、蝶番支持部１０２の上板１０２ａと下板１０２ａを連結する壁１０２ｃの下端部に当接され、他端部１１６ｂは連結板１１２の上端部で下方に折曲され、当該連結板１１２に当接されている。そして、ねじりコイルバネ（付勢部材）１１６は、図７において連結板１１２を軸部１１５を軸として反時計回りに付勢可能となっている。したがって、このねじりコイルバネ（付勢部材）１１６は、係合爪１１１，１１１を反時計回り、つまり後係合部１５４，１５４に係合させる方向に付勢可能となっている。
したがって、解除レバー１１３を作業者が把持して、ねじりコイルバネ（付勢部材）１１６の付勢力に抗して、図７において時計回りに回転させることで、係合爪１１１，１１１が同方向に回転し、後係合部１５４から外れるようになっている。
【００３７】
また、蝶番支持部１０２には、係合爪１１１が後係合部１５４から外れる方向へ動くような解除レバー１１３の動作を許否するロックスイッチ１２０が設けられている。このロックスイッチ１２０は、図６に示すように、壁１０２ｃに沿って上下にスライド可能に設けられている。
そして、ロックスイッチ１２０が壁１０２ｃの上端部に位置している状態では、当該ロックスイッチ１２０に解除レバー１１３が近接または当接しており、当該解除レバー１１３の図７における時計回り方向、つまり係合爪１１１が後係合部１５４，１５４から外れる方向への動きを阻止している。
一方、作業者がロックスイッチ１２０を下方にスライドさせて、当該ロックスイッチ１２０が壁１０２ｃの下端部に位置している状態では、当該ロックスイッチ１２０は、解除レバー１１３の図７における時計回り方向に位置していない。したがって、この状態では、解除レバー１１３が時計回りに回転可能となるので、係合爪１１１は後係合部１５４，１５４から外れる方向へ回転可能となる。
【００３８】
次に、蝶番受け１５０に蝶番１０１を取り付ける方法について、図８および図９を参照して説明する。
なお、蝶番受け１５０は筐体１に固定された交換ユニット２に固定され、蝶番１０１は上扉３０に取り付けられているが、図８および図９では、筐体１、交換ユニット２、蝶番１０１の蝶番支持部１０２以外の部分については図示を省略し、蝶番支持部１０２と蝶番受け１５０とを図示している。
【００３９】
まず、図８（ａ）に示すように、作業者が前扉（図示略）を持って、蝶番支持部１０２の軸部１１０を、蝶番受け１５０の前係合部１５３に前方側から挿入して係合する。この際、蝶番支持部１０２は蝶番受け１５０から軸部１１０を軸として離れる方向に回転した状態としておく。なお、ロックスイッチ１２０は下方にスライドさせておき、係合爪１１１の動き（回転）による解除レバー１１３の動きを許容しておく。
また、係合爪１１１は、図７および図９（ａ）に示すように、閉じており、連結板１１２にねじりコイルバネ１１６の他端部１１６ｂが当接している。
【００４０】
次に、図８（ｂ）に示すように、蝶番支持部１０２を軸部１１０を軸として、反時計回りに回転させて、蝶番受け１５０に係合していく。
すると、図９（ａ）に示すように、蝶番支持部１０２の係合爪１１１が蝶番受け１５０の傾斜面１５１ｃに当たり、当該係合爪１１１が軸部１１０を軸としてねじりコイルバネ１１６の付勢力に抗して開き（時計回りに回転し）、さらに、蝶番支持部１０２を回転させていくと、係合爪１１１が傾斜面１５１ｃを後係合部１５４側に向けて移動し、図９（ｂ）に示すように、この傾斜面１５１ｃを越えると、図９（ｃ）に示すように、ねじりコイルバネ１１６の付勢力によって係合爪１１１が閉じ（反時計回りに回転し）て、後係合部１５４に係合する。また、図８（ｃ）に示すように、蝶番支持部１０２の係合凹部１０２ｄが蝶番受け１５０の凸部１５５に係合するとともに、蝶番支持部１０２の上板１０２ａと下板１０２ａのそれぞれの縁部が蝶番受け１５０の凸部１５６に当接する。
このようにして、蝶番支持部１０２を蝶番受け１５０に取り付ける。
最後に、図８（ｃ）に示すように、ロックスイッチ１２０を上方にスライドさせて、解除レバー１１３の動作を阻止する。
【００４１】
一方、蝶番受け１５０から蝶番支持部１０２を取り外す場合は、ロックスイッチ１２０を下方にスライドさせた後、解除レバー１１３を把持してねじりコイルバネ１１６の付勢力に抗して、図９（ｃ）において軸部１１５を軸として時計回りに回転させることで、係合爪１１１を後係合部１５４から外す。
その後、蝶番支持部１０２を軸部１１０を軸として、上述した蝶番支持部１０２の取付けの場合とは逆方向（図９（ｃ）において時計回り）に回転させたうえで、軸部１１０を蝶番受け１５０の前係合部１５３から外すことによって行う。
【００４２】
このように本実施の形態では、上扉３０を筐体１に固定された交換ユニット２に取り付ける場合、当該上扉３０の一方の側部に支持ソケット１０８が取り付けられた蝶番１０１の蝶番支持部１０２の軸部１１０を、交換ユニット２に固定された蝶番受け１５０の前係合部１５３に係合したうえで、蝶番支持部１０２を軸部１１０回りに回転させて、ねじりコイルバネ（付勢部材）１１６の付勢力によって蝶番支持部１０２の係合爪１１１を蝶番受け１５０の後係合部１５４に係合させることによって、上扉３０を交換ユニット２にネジ等を使用することなく、容易に取り付けることができる。
【００４３】
また、上扉３０を交換ユニット２から取り外す場合、蝶番受け１５０の後係合部１５４から蝶番支持部１０２の係合爪１１１をねじりコイルバネ（付勢部材）１１６の付勢力に抗して外すとともに、蝶番支持部１０２を取付けの場合と逆方向に軸部１１０回りに回転させつつ、蝶番支持部１０２の軸部１１０を蝶番受け１５０の前係合部１５３から外すことによって、上扉３０を交換ユニット２からネジ等を使用することなく、容易に取り外すことができる。
このように、上扉３０を筐体１に固定された交換ユニット２に対してネジ等を使用することなく、容易に着脱することができる。
【００４４】
また、係合爪１１１に、当該係合爪１１１をねじりコイルバネ（付勢部材）１１６の付勢力に抗して後係合部１５４から外す方向に動かすための解除レバー１１３が設けられているので、上扉３０を交換ユニット２から取り外す場合に、解除レバー１１３を作業者が把持して動かすことによって、係合爪１１１をねじりコイルバネ（付勢部材）１１６の付勢力に抗して後係合部１５４から外すことができるので、上扉３０を交換ユニット２からさらに容易に取り外すことができる。
【００４５】
さらに、蝶番支持部１０２に、係合爪１１１が後係合部１５４から外れる方向へ動くような解除レバー１１３の動作を許否するロックスイッチ１２０が設けられているので、上扉３０が筐体１に固定された交換ユニット２に取り付けられている場合に、ロックスイッチ１２０によって、解除レバー１１３の動作を阻止することによって、不意に解除レバー１１３に作業者の手や物が触れた場合でも、係合爪１１１が後係合部１５４から外れて、上扉３０が交換ユニット２から外れて落下することがない。
【００４６】
なお、本実施の形態では、上扉３０を交換ユニット２にヒンジ構造１００によって連結する場合を例にとって説明したが、下扉４０も同様に筐体１の開口下部にヒンジ構造１００によって取り付けられている。
また、本実施の形態では、前扉３を上扉３０と下扉４０に分けた構造としたが、前扉３を一体のものとしてもよい。この場合も、一体形の前扉３をヒンジ構造１００によって筐体１に取り付ければよい。
【００４７】
また、本実施の形態の遊技機では、図１０および図１１に示すように、交換ユニット２の一方の側部（図１０および図１１において、向かって右側の側部）に施錠ユニット２００が設けられている。なお、図１０および図１１では、上扉３０は矩形状のフレーム３０ａ、このフレーム３０ａに設けられたプレート３０ｂ、このプレート３０ｂに設けられたサブ基板３０ｃ等を図示しており、その他の部材は図示を省略してある。
【００４８】
この施錠ユニット２００は、図１２に示すように、上扉３０に係脱可能に係合する前係合部材２０１と、筐体１に係脱可能に係合する後係合部材２０２と、第１方向（下方）およびこの第１方向と異なる第２方向（上方）に移動可能な操作部材２０３と、この操作部材２０３の第１方向（下方）への移動により前係合部材２０１と上扉３０との係合を解除し、操作部材２０３の第２方向（上方）への移動により、後係合部材２０２と筐体１との係合を解除する係合解除機構２０４とを備えている。
【００４９】
前係合部材２０１、後係合部材２０２および係合解除機構２０４は、取付フレーム２０５に設けられており、この取付フレーム２０５が交換ユニット２の側面に、前係合部材２０１を前側に向けて取り付けられている。
取付フレーム２０５は、図１２および図１３に示すように、上下に長尺な部材であり、上下に長尺な長方形板状の基板２０５ａと、この基板２０５ａの左右の長辺部および上側の短辺部にそれぞれ立設された壁２０５ｂ，２０５ｃと、一方の壁２０５ｂおよび壁２０５ｃの先端部にそれぞれ基板２０５ａと平行に設けられたフランジ部２０５ｄ，２０５ｅとから構成されており、フランジ部２０５ｄ，２０５ｅを交換ユニット２の側面に当接してねじ止めすることによって、取付フレーム２０５が交換ユニット２の側面に取り付けられている。
【００５０】
前係合部材２０１は、取付フレーム２０５の上下端部にそれぞれ設けられている。また、前係合部材２０１は、基板２０５ａに支点２０１ａ回りに正逆方向に回転可能に取り付けられており、先端部には係合爪２０１ｂが設けられている。係合爪２０１ｂは上扉３０に係脱可能に係合するものであり、基板２０５ａと壁２０５ｂの交差部に形成された縦長のスリット状の開口部２０６を貫通して壁２０５ｂから突出している。係合爪２０１ｂが開口部２０６の上端に当接している場合に、当該係合爪２０１ｂは上扉３０に係合している。
【００５１】
前係合部材２０１は、図１２において、支点２０１ａを軸として時計回り（正方向）に回転することによって、係合爪２０１ｂと上扉３０との係合が解除されるようになっている。
また、前係合部材２０１はばね２０７によって反時計回り（逆方向）に付勢されている。すなわち、ばね２０７はねじりばねであり、その一端部が基板２０５ａに設けられた係止部２０５ｆに係止され、他端部が前係合部材２０１に設けられた係止部２０１ｃに係止されている。ばね２０７はその一端部と他端部とが近付くように圧縮された状態で、係止部２０５ｆ，２０１ｃに係止されており、これによって、前係合部材２０１を反時計回りに付勢している。
また、前係合部材２０１には、支点２０１ａと係合爪２０１ｂとの間において、凸部２０１ｄが突出して設けられており、この凸部２０１ｄが操作部材２０３に設けられた開口部２０３ａに挿入されている。そして、前係合部材２０１がばね２０７によって反時計回り（逆方向）に付勢されているが、凸部２０１ｄが開口部２０３ａの上端部に当接することで、前係合部材２０１のそれ以上の反時計回り（逆方向）の回動が阻止されている。
【００５２】
後係合部材２０２は、取付フレーム２０５の上端部に上側の前係合部材２０１より下方位置において設けられている。また、後係合部材２０２は、基板２０５ａに支点２０２ａ回りに正逆方向に回転可能に取り付けられており、先端部には係合爪２０２ｂが設けられている。係合爪２０２ｂは筐体１の内側面に設けられた係合部２１０（図１６参照）に係脱可能に係合するものであり、基板２０５ａと壁２０５ｂの交差部に形成された縦長のスリット状の開口部２１１を貫通して壁２０５ｂから突出している。係合爪２０２ｂが開口部２１１の下端に当接している場合に、当該係合爪２０２ｂは係合部２１０に係合している。
係合部２１０は、図１６に示すように、断面Ｌ形の金具で構成されており、この係合部２１０は筐体１の内側面（図１６において向かって右側の内側面）の上部に取り付けられている。そして、係合部２１０の先端部２１０ａに前記後係合部材２０２の係合爪２０２ｂが係合するようになっている。なお、先端部２１０ａは筐体１の内側面に対してほぼ直角に立ち上がっており、先端縁が上下方向に沿っている。
【００５３】
後係合部材２０２は、図１２に示すように、支点２０２ａを軸として、時計回り（正方向）に回転することによって、係合爪２０２ｂと係合部２１０との係合が解除されるようになっている。
また、後係合部材２０２はばね２１２によって反時計回り（逆方向）に付勢されている。すなわち、ばね２１２はねじりばねであり、その一端部が基板２０５ａに設けられた係止部２０５ｇに係止され、他端部が後係合部材２０２に設けられた係止部２０２ｃに係止されている。ばね２１２はその一端部と他端部とが近付くように圧縮された状態で、係止部２０５ｇ，２０２ｃに係止されており、これによって、後係合部材２０２を反時計回りに付勢している。
また、後係合部材２０２には、支点２０２ａと係合爪２０２ｂとの間において、凸部２０２ｄが突出して設けられており、この凸部２０２ｄが操作部材２０３に設けられた開口部２０３ａに挿入されている。そして、後係合部材２０２がばね２１２によって反時計回り（逆方向）に付勢されているが、凸部２０２ｄが操作部材２０３の後述する後操作部材２１４の上端に当接することで、後係合部材２０２のそれ以上の反時計回り（逆方向）の回動が阻止されている。
【００５４】
操作部材２０３は、取付フレーム２０５の長手方向に沿って延在する長尺部材であり、上下に移動可能となるように取付フレーム２０５に取り付けられている。
また、操作部材２０３は、前係合部材２０１をばね２０７の付勢力に抗して回転させる前操作部材２１３と、この前操作部材２１３の長手方向中央部より上方側において当該前操作部材２１３に重ねて配置されて、後係合部材２０２をばね２１２の付勢力に抗して回転させる後操作部材２１４とを備えている。
【００５５】
前操作部材２１３は取付フレーム２０５の上端部から下端部に向けて延在する長尺な板状のプレートで構成されており、当該前操作部材２１３の下端部には、作業者が操作部材２０３を操作する際に把持する把持部２１３ａが設けられている。
前操作部材２１３は上下に移動可能となるように取付フレーム２０５に取り付けられている。すなわち、取付フレーム２０５の上下端部にそれぞれピン２１５が立設されており、このピン２１５を前操作部材２１３の上下端部にそれぞれ設けられた長孔２１３ｂに上下に摺動可能に挿通することによって、前操作部材２１３が上下に移動可能となっている。
【００５６】
前記開口部２０３ａは前操作部材２１３に設けられ、この開口部２０３ａに前係合部材２０１の凸部２０１ｄが挿入され、図１２に示す状態において、凸部２０１ｄは開口部２０３ａの上端部に当接している。
したがって、作業者が把持部２１３ａを把持して、前操作部材２１３を下方（第１方向）に移動させることによって、開口部２０３ａの上端によって凸部２０１ｄ下方に押されることで、前係合部材２０１がばね２０７の付勢力に抗して時計回りに回転して、前係合部材２０１と上扉３０との係合を解除できるようになっている。
【００５７】
後操作部材２１４は、前操作部材２１３より短い板状のプレートで構成されており、その上下端部には上下に長尺な長孔２１４ａがそれぞれ設けられている。また、後操作部材２１４には、長孔２１４ａ，２１４ａの間において上下に長尺なガイド孔２１４ｂ，２１４ｂがそれぞれ設けられている。
一方、前操作部材２１３には、ピン２１６，２１６が上下に離間して立設されているとともに、ピン２１６，２１６間においてスライダ２１７，２１７が上下に離間して設けられている。
そして、ピン２１６およびスライダ２１７を長孔２１４ａおよびガイド孔２１４ｂにそれぞれ上下に摺動可能に挿通することによって、後操作部材２１４が上下に移動可能となっている。
【００５８】
図１２に示す状態において、ピン２１６は長孔２１４ａの上端部に当接している。したがって、この状態において、前操作部材２１３を上方（第２方向）に移動させると、後操作部材２１４がピン２１６によって上方に押されて、当該後操作部材２１４が上方に移動するようになっている。
後係合部材２０２の凸部２０２ｄは、後操作部材２１４の上端に当接しているので、作業者が把持部２１３ａを把持して、前操作部材２１３を上方（第２方向）に移動させることによって、後係合部材２０２がばね２１２の付勢力に抗して時計回りに回転して、後係合部材２０２と筐体１の係合部２１０との係合を解除できるようになっている。
【００５９】
また、図１１および図１７に示すように、上扉３０には、前係合部材２０１が上扉３０に係合している状態において、操作部材の第２方向（上方）への移動を阻止するストッパ２２０が設けられている。
すなわち、上扉３０のフレーム３０ａの縦部材の下端部には、上扉３０の裏面側から突出する矩形板状のストッパ２２０が設けられている。
一方、操作部材２０３の前操作部材２１３の下端部には、当該前操作部材２１３の表面から突出する矩形板状の突出部２２１が設けられている。
また、図２および図１８に示すように、上扉３０のフレーム３０ａの縦部材には、係合部３０ｄ，３０ｄが上下に離間して設けられている。この係合部３０ｄは矩形板状のプレートによって形成されており、その下縁側から前係合部材２０１の係合爪２０１が係合部３０ｄの裏面に係合することによって、係合部３０ｄに前係合部材２０１，２０１の係合爪２０１ｂが係合するようになっている。
また、図１１に示すように、上扉３０のフレーム３０ａの縦部材にはストッパ２２０より上方位置において、係合凸部２２２が上扉３０の裏面側から突出して設けられ、一方、施錠ユニット２００の上下方向の中央部より下側に、係合凹部２２３が設けられている。
【００６０】
そして、上扉３０が閉じている状態において、つまり前係合部材２０１の係合爪２０１ｂが上扉３０の係合部３０ｄに係合している状態において、係合凸部２２２が係合凹部２２３に係合するとともに、ストッパ２２０が突出部２２１に上方から当接している。この当接している状態において、ストッパ２２０は平面視において突出部２２１と略直交している。このように、上扉３０が閉じている状態では、ストッパ２２０によって前操作部材２１３の第２方向（上方）への移動が阻止されている。
【００６１】
また、施錠ユニット２００は、後係合部材２０２と筐体１の係合部２１０との係合を解除した状態を保持する保持機構２３０を備えている。
すなわち、図１２に示すように、取付フレーム２０５の基板２０５ａの上下方向略中央部には、前レバー２３１が支点２３１ａ（図１３参照）回りに正逆方向に回転可能に設けられている。前レバー２３１の先端部２３１ｂは、基板２０５ａと壁２０５ｂの交差部に形成された縦長のスリット状の開口部２３２を貫通して壁２０５ｂから突出している。
また、前レバー２３１に設けられた係止部２３１ｃと、後操作部材２１４に設けられた係止部２１４ｃとにスプリング２３３が掛けられている。
また、後操作部材２１４の下端部には係合凹部２３４，２３５が上下二段に設けられており、当該係合凹部２３４，２３５に、前レバー２３１に設けられた凸部２３１ｄが係合可能となっている。また、係合凹部２３５は係合凹部２３４より深さが深くなっている。
【００６２】
図１２に示す状態、すなわち、後係合部材２０２と筐体１の係合部２１０とが係合している状態において、前レバー２３１の凸部２３１ｄは上段の係合凹部２３４に係合している。また、図１５に示す状態、すなわち、後係合部材２０２と筐体１の係合部２１０との係合を解除した状態において、後操作部材２１４が上方（第２方向）に移動しているので、この後操作部材２１４によって、スプリング２３３が上方に引張られることで、前レバー２３１が反時計回りに回転する。これによって、前レバー２３１の凸部２３１ｄが反時計回りに回転するので、上段の係合凹部２３４から外れて下段の係合凹部２３５に係合する。
この状態において、前レバー２３１はスプリング２３３によって反時計回りに付勢されているので、凸部２３１ｄの係合凹部２３５への係合状態が保持される。したがって、後操作部材２１４は上昇した位置で保持されるので、後係合部材２０２の凸部２０２ｄ下方への移動が阻止され、これによって、後係合部材２０２と筐体１の係合部２１０との係合を解除した状態が保持される。
【００６３】
また、図１２に示すように、施錠ユニット２００は、上扉３０を閉じることで、保持機構２３０による保持状態を解除して、後係合部材２０２を筐体１の係合部２１０に係合させる保持解除係合機構２４０を備えている。
すなわち、前レバー２３１の先端部２３１ｂの先端２３１ｅは円弧面状に形成されており、この円弧面状の先端２３１ｅに上扉３０のフレーム３０ａの縦部材が当たると、この縦部材によって前レバー２３１の先端２３１ｅが下方に向かう力を受ける。このため、前レバー２３１はスプリング２３３の付勢力に抗して、時計回りに回転し、これによって、凸部２３１ｄが係合凹部２３５から外れて、係合凹部２３４に係合する。すると、後操作部材２１４は下方に移動可能となるので、後係合部材２０２がばね２１２の付勢力によって、反時計回りに回転するとともに、後操作部材２１４が下方に移動して、後係合部材２０２の係合爪２０２ｂが筐体１の係合部２１０に係合することになる。
【００６４】
本実施の形態の遊技機では、図１０および図１２に示す状態、すなわち前扉３の上扉３０が筐体１の正面開口部の上部を閉じている状態で、作業者が操作部材２０３の把持部２１３ａを把持して、下方（第１方向）に引張って、前操作部材２１３を下方（第１方向）に移動させると、係合解除機構２０４によって、前係合部材２０１と上扉３０との係合が解除される。
すなわち、図１２に示した状態において、前操作部材２１３を下方（第１方向）に移動させると、図１４に示すように、前係合部材２０１の凸部２０１ｄが前操作部材２１３の開口部２０３ａの上端によって下方に引張られる。これによって、前係合部材２０１が時計回りに回転して、その先端部の２０１ｂが上扉３０の係合部３０ｄから外れて、前係合部材２０１と上扉３０との係合が解除される。
この状態では、図１７に示すように、ストッパ２２０が前操作部材２１３の突出部２２１に上から当接していることによって前操作部材２１３の上方（第２方向）への移動が阻止されている。
【００６５】
次に、作業者が上扉３０を開くと、ストッパ２２０が突出部２２１から外れて、前操作部材２１３は上方（第２方向）への移動が可能となるので、作業者が把持部２１３ａを把持して前操作部材２１３を上方に移動させる。
すると、図１５に示すように、前操作部材２１３のピン２１６が後操作部材２１４の長孔２１４ａの上端に当接しているので、このピン２１６によって、後操作部材２１４が上方に押される。後操作部材２１４が上方に押されて移動すると、当該後操作部材２１４の上端によって後係合部材２０２の凸部２０２ｄが上方に押される。これによって、後係合部材２０２はばね２１２の付勢力に抗して、時計回りに回転するので、後係合部材２０２の係合爪２０２ｂが筐体１の係合部２１０から外れて、交換ユニット２が筐体１から取り出し可能となる。
【００６６】
一方、保持機構２３０によって、後係合部材２０２と筐体１の係合部２１０との係合を解除した状態が保持される。
すなわち、図１５に示すように、後係合部材２０２と筐体１の係合部２１０との係合を解除する際に、後操作部材２１４が上方（第２方向）に移動するので、この後操作部材２１４によって、スプリング２３３が上方に引張られることで、前レバー２３１が反時計回りに回転する。これによって、前レバー２３１の凸部２３１ｄが反時計回りに回転するので、この凸部２３１ｄが上段の係合凹部２３４から外れて下段の係合凹部２３５に係合する。
この状態において、前レバー２３１はスプリング２３３によって反時計回りに付勢されているので、凸部２３１ｄの係合凹部２３５への係合状態が保持される。したがって、後操作部材２１４は上昇した位置で保持されるので、後係合部材２０２と筐体１の係合部２１０との係合を解除した状態が保持される。
その後、作業者が交換ユニット２を筐体１から引き出すことによって取り外す。
【００６７】
筐体１から取り外され、調整等がなされた交換ユニット２、または新たな交換ユニット２を筐体１に再び取り付ける場合、当該交換ユニット２を筐体１の中板の上面に載置したうえで、奥側に押し込む。
そして、後係合部材２０２が開いている状態、つまり、図１５に示すように、前レバー２３１が上方に回転しており、当該前レバー２３１の凸部２３１ｄが後操作部材２１４の係合凹部２３５に係合している状態の交換ユニット２の場合、当該交換ユニット２を前記中板の奥側の所定に位置に載置する。
この状態において、後係合部材２０２の係合爪２０２ｂは筐体１の係合部２１０より上方位置にあり、当該係合部２１０と係合していない。
【００６８】
次に、上扉３０を閉める。すると、上扉３０のフレーム３０ａの縦部材が前レバー２３１の先端２３１ｅに当たる。これによって、前レバー２３１の先端２３１ｅが下方に向かう力を受けるので、前レバー２３１はスプリング２３３の付勢力に抗して、時計回りに回転し、これによって、凸部２３１ｄが係合凹部２３５から外れて、係合凹部２３４に係合するとともに、後操作部材２１４は下方に移動可能となるので、後係合部材２０２がばね２１２の付勢力によって、反時計回りに回転して、後係合部材２０２の係合爪２０２ｂが筐体１の係合部２１０に係合する。
また、上扉３０を閉め始めると、前係合部材２０１の係合爪２０１ｂの傾斜面に、上扉３０の係合部３０ｄの先端（下端）が当たる。係合爪２０１ｂの傾斜面は奥側に向かうほど上方に傾斜しているので、この傾斜面に係合部３０ｄの先端（下端）が当たると、係合部３０ｄによって係合爪２０１ｂがばね２０７の付勢力に抗して開き（時計回りに回転し）、さらに上扉３０を閉めることによって、係合爪２０１ｂが係合部３０ｄの先端（下端）を越えると、係合爪２０１ｂがばね２０７の付勢力によって、閉じ（反時計回りに回転し）、係合部３０ｄに係合する。これによって、上扉３０が閉じた状態でロックされる。
【００６９】
一方、後係合部材２０２が閉じている状態、つまり、図１２に示すように、前レバー２３１が下方に回転しており、当該前レバー２３１の凸部２３１ｄが後操作部材２１４の係合凹部２３４に係合している状態の交換ユニット２の場合、当該交換ユニット２を筐体１の奥側に押し込むと、後係合部材２０２の係合爪２０２ｂの傾斜面に、筐体１の係合部２１０の先端部２１０ａが当たる。係合爪２０２ｂの傾斜面は奥側に向かうほど上方に傾斜しているので、この傾斜面に係合部２１０の先端部２１０ａが当たると、係合部２１０によって係合爪２０２ｂがばね２１２の付勢力に抗して開き（時計回りに回転し）、さらに筐体１を押し込むことによって、係合爪２０２ｂが係合部２１０の先端部２１０ａを越えると、係合爪２０２ｂがばね２１２の付勢力によって、閉じ（反時計回りに回転し）、係合部２１０に係合する。
その後、上扉３０を閉じると、上述したように、係合爪２０１ｂが係合部３０ｄに係合し、上扉３０が閉じた状態でロックされる。
【００７０】
このように、交換ユニット２を筐体１の中板に載置したうえで、奥側に押し込み、上扉３０を閉めることによって、交換ユニット２を筐体１に固定できるとともに、上扉３０を閉じた状態で固定（ロック）できる。
【００７１】
以上のように本実施の形態によれば、作業者が操作部材２０３の前操作部材２１３を第１方向（下方）に移動させると、係合解除機構２０４によって、前係合部材２０１の係合爪２０１ｂと上扉３０の係合部３０ｄとの係合が解除されるので、上扉３０を開くことができ、次いで、作業者が前操作部材２１３を第２方向（上方）に移動させることで、後操作部材２１４を第２方向（上方）に移動させると、係合解除機構２０４によって、後係合部材２０２と筐体１の係合部２１０との係合が解除されるので、交換ユニット２を筐体１から取り外すことが可能となる。
このように、操作部材２０３の第１方向（下方）への移動によって、上扉３０を開くことができ、操作部材２０３の第２方向（上方）のへの移動によって、交換ユニット２を筐体１から取り外すことが可能となるので、交換ユニット２の取り外し作業を容易に行うことができる。
【００７２】
また、上扉３０に、前係合部材２０１が上扉３０の係合部３０ｄに係合している状態において、操作部材２０３の第２方向（上方）への移動を阻止するストッパ２２０が設けられているので、上扉３０を開くために、前係合部材２０１と係合部３０ｄとの係合を解除する際に、間違えて操作部材２０３を第２方向（上方）へ移動させて、後係合部材２０２と筐体１との係合を解除することがない。
したがって、上扉３０を開いた後、操作部材２０３を第２方向（上方）へ移動させて、後係合部材２０２と筐体１との係合を解除することができる。
【００７３】
さらに、施錠ユニット２００は、後係合部材２０２の係合爪２０２ｂと筐体１の係合部２１０との係合を解除した状態を保持する保持機構２３０を備えているので、操作部材２０３の第２方向（上方）のへの移動によって、後係合部材２０２の係合爪２０２ｂと筐体１の係合部２１０との係合が解除されて、交換ユニット２を筐体１から取り外すことが可能となっている際に、保持機構２３０によって、後係合部材２０２と筐体１との係合を解除した状態が保持されるので、交換ユニット２を筐体１から確実に取り外すことができる。
【００７４】
加えて、施錠ユニット２００は、上扉３０を閉じることで、保持機構２３０による保持状態を解除して、後係合部材２０２の係合爪２０２ｂを筐体１の係合部２１０に係合させる保持解除係合機構２４０を備えているので、交換ユニット２を筐体１に装填したうえで、上扉３０を閉じると保持解除係合機構２４０によって、後係合部材２０２の係合爪２０２ｂと筐体１の係合部２１０との係合を解除した保持状態が解除されて、後係合部材２０２の係合爪２０２ｂを筐体１の係合部２１０に係合させるので、交換ユニット２が筐体１に固定されていない状態で放置されることがなく、交換ユニット２を確実に筐体１に固定できる。
【００７５】
なお、本実施の形態では、操作部材２０３の移動方向として、下方を第１方向、上方を第２方向とした場合を例にとって説明したが、本発明では、その逆、つまり上方を第１方向、下方を第２方向としてもよい。この場合、操作部材２０３を上方に移動させることによって、前係合部材と前扉との係合を解除し、操作部２０３を下方に移動させることにより、後係合部材と筐体との係合を解除するように、係合解除機構２０４を構成すればよい。また、操作部材２０３の移動方向は上下に限らず、横方向やその他の方向としてもよい。
また、本実施の形態では、前扉３を上扉３０と下扉４０に分けた構造としたが、前扉３を一体のものとしてもよい。この場合、施錠ユニット２００の前係合部材２０２を前扉３に係脱可能にすればよい。
【符号の説明】
【００７６】
Ｍ  スロットマシン（遊技機）
１  筐体
２  交換ユニット
３０  上扉（前扉）
１００  ヒンジ構造
１０１  蝶番
１１１  係合爪
１１３  解除レバー
１１６  ねじりコイルバネ（付勢部材）
１５０  蝶番受け
１５３  前係合部
１５４  後係合部
【図１】
2016193162.tif 000003
【図２】
2016193162.tif 000004
【図３】
2016193162.tif 000005
【図４】
2016193162.tif 000006
【図５】
2016193162.tif 000007
【図６】
2016193162.tif 000008
【図７】
2016193162.tif 000009
【図８】
2016193162.tif 000010
【図９】
2016193162.tif 000011
【図１０】
2016193162.tif 000012
【図１１】
2016193162.tif 000013
【図１２】
2016193162.tif 000014
【図１３】
2016193162.tif 000015
【図１４】
2016193162.tif 000016
【図１５】
2016193162.tif 000017
【図１６】
2016193162.tif 000018
【図１７】
2016193162.tif 000019
【図１８】
2016193162.tif 000020